(57)【要約】      （修正有）【課題】一般家庭風呂に浴槽の改造無しで簡単に設置出来る入浴補助浮きボードの提供。【解決手段】入浴補助浮きボードは既存の浴槽を改良する事無く永久磁石を取り付けることで、本体ボードを取り付ける回転ヒンジ部材を簡単に取り付ける事が出来る。安全ハーネス型で入浴者の上半身、特に心臓部分が水没しない姿勢にする正確な浮力計算に基づき、又浮力材の移動を平面ファスナーで容易に移動可能とし本体の回転ヒンジは入浴理想角度を保持する様角度保持ストッパー付とする。【選択図】図１
0003136688.tif 000002
【実用新案登録請求の範囲】
【請求項１】
家庭用浴槽内に設置可能な入浴補助浮きボードである。
【請求項２】
ボード本体の基本形状は入浴補助浮きボードの形状で浴槽縁面に固定ヒンジを取り付けボード本体を取り付けて使用する。
【請求項３】
浴室内に折りたたみ収納（図４）が出来る。
【請求項４】
ジェットバス等にも使用可能な穴あきボードも取り付け可能である。
【考案の詳細な説明】
【技術分野】
【０００１】  本考案は、入浴補助浮きボードを一般家庭用のお風呂で使用可能にする取り付け装置である。
【背景技術】
【０００２】  従来の入浴浮きボードは一般家庭用の風呂では取り付けたり使用後取外す行為は非常に面倒で使用者以外は逆に入浴に不便を感じた。
【考案の開示】
【考案が解決しようとする課題】
【０００３】  家庭用風呂でセットして使用し、使用後お風呂内に格納しようとする問題点は、簡単セット簡単格納でスペースを取らないようにする事。
【課題を解決するための手段】
【０００４】  本考案は、浴槽壁に格納されてたボードが下りて来て浴槽に簡単にセットされるので壁から張り出す幅もボードの厚さだけで収まるのでスペースも取らない。
【考案の効果】
【０００５】  本考案の入浴補助浮きボードを家庭風呂で使用すると、ホテル、旅館、その他公共施設で使用する場合とは違った感覚すなわち自分独りの空間なので閉眼使用し、癒しの音楽を聞きながら浮遊入浴するとリラックス効果と癒し効果の相乗効果が期待できる。
【考案を実施するための最良の形態】
【０００６】  本考案の入浴補助浮きボードは図１に示す様に既存の浴槽を改良する事無く永久磁石を取り付けることで本体ボードを取り付ける回転ヒンジ部材が簡単に取り付ける事が出来る。安全ハーネス型で入浴者の上半身特に心臓部分が水没しない姿勢にする正確な浮力計算に基づき又浮力材の移動をマジックテープで容易に移動可能とし本体の回転ヒンジは入浴理想角度を保持する様角度保持ストッパー付とする。
【産業上の利用可能性】
【０００７】  温泉ホテル、旅館の客室風呂に設置すれば大浴場等の入浴に不安を抱えたお客様又血圧が高いお客様も安心して入浴出来る事になります。【０００８】  リハビリ施設のマッサージ治療入浴等はボード本体を穴あき状にすれば筋肉の緊張緩和と精神のリラックスの相乗効果が期待出来る。
【図面の簡単な説明】
【０００９】
【図１】入浴時の基本姿勢を示した説明図である。
【図２】入浴補助浮きボードの正面図、背面図である。
【図３】入浴補助浮きボードの側断図、拡大詳細図である。
【図４】入浴補助浮きボード折りたたみ収納手順図である。
【符号の説明】
【００１０】  １  ボード本体
２  クッション材（浮力材も兼ねる）
３  頭部クッション材
４  回転ヒンジ（ボード本体取付け）
５  回転ヒンジ（浴槽縁取付け磁石付）
６  浮力材
７  マジックテープ
８  磁石（浴槽縁取付）
【図１】
0003136688.tif 000003
【図２】
0003136688.tif 000004
【図３】
0003136688.tif 000005
【図４】
0003136688.tif 000006
【手続補正書】
【提出日】平成19年6月28日(2007.6.28)
【手続補正１】
【補正対象書類名】実用新案登録請求の範囲
【補正対象項目名】全文
【補正方法】変更
【補正の内容】
【実用新案登録請求の範囲】
【請求項１】
入浴補助浮きボードは腰から肩までの部分、腰から膝までの部分と肩から頭部までの３部分で構成され、その３部分の各ボード部分が平面形状に変化する脚部分の無い折りたたみ椅子形状の浴室内収納型入浴補助浮きボード。
【請求項２】
浴槽天端面にはボードと浴槽を取付け固定する為のボード取付け装置を取付ける事を特徴とする請求項１記載の浴室内収納型入浴補助浮きボード。
【請求項３】
ボード本体と本体の接続部とボードとボード取付け装置の接続部は回転ヒンジ内臓型の接続部である事を特徴とする請求項１記載の浴室内収納型入浴補助浮きボード。
【請求項４】
平面形状になったボード先端部を９０度浴室の天井側に持ち上げ回転移動するとボードが垂直の状態になり、浴室の壁面に並立し浴室内に収納可能となる事を特徴とする請求項１記載の浴室内収納型入浴補助浮きボード。
【手続補正２】
【補正対象書類名】明細書
【補正対象項目名】全文
【補正方法】変更
【補正の内容】
【考案の詳細な説明】
【技術分野】
【０００１】  本考案は、入浴補助浮きボードに関するものであり、入浴補助浮きボードの形状と各部分のボードとボード、浴槽とボードの取付け部の固定部分に工夫を加える事によって入浴補助浮きボードを一般家庭用の浴室に取りつけて使用し、収納を可能にしたものである。
【背景技術】
【０００２】  従来からの、入浴補助浮きボードはホテル、旅館、その他商業用の入浴施設に取り付けて使用できる物である。しかし一般家庭の浴室で使用するものは無い。従来のボードは形状が大きく、取付け、取り外しを入浴者が入浴する度に入浴補助浮きボードを浴槽天端の固定部分に取り付けたり、取り外したり又固定部分全体を取りはずしたりして使用する不便な物である。又一般家庭の浴室において未使用時のボードの収納保管場所の対策の配慮はない物である。
【考案の開示】
【考案が解決しようとする課題】
【０００３】  解決しようとする課題は、従来の入浴補助浮きボードでは入浴補助浮きボードを使用する入浴者や、入浴補助浮きボードを使用しない入浴者にとっては取付け、取り外しが非常に不便であり、浴室内で使用するボードが浴室内に収納保管出来ないと、使用の度にボードの搬入、搬出を行わなければならず不便である。本考案は、このような入浴補助浮きボードの不便を解決することを課題とする。
【課題を解決するための手段】
【０００４】  この課題を解決するために請求項１の考案は膝から足先までの部分のボードを取付けず、入浴補助浮きボードの全長を短くした事と各ボード部分の接続部を回転ヒンジ内臓の接続部とした事でボード全体を平面形状に変形する事が可能になり課題を解決できる。【０００５】  請求項２の考案は入浴補助浮きボードの取付け、取外しの際浴槽を大きく改造改修する事無く簡単に入浴補助ボードの取付け装置を取付けたり、取外せる様に磁石盤の磁力を利用した接着方法でボードの取付け装置を取付けて課題を解決した。【０００６】  請求項３の考案は入浴者の入浴姿勢を保持する為に脊椎部にストッパー付回転ヒンジ内蔵のボード接続部と回転ヒンジ内蔵のボード取付け装置を取り付ける事でこの課題を解決した。【０００７】  請求項４の考案は回転ヒンジ内臓のボード固定装置を取り付ける事でこの課題を解決した。
【考案の効果】
【０００８】  本考案の浴室収納型入浴補助浮きボードにより、一般家庭浴室でも使用出来る様になり、従来の様なボードの取付け、取外しの不便さ、未使用時の収納保管場所の確保等の悩みも解消される。一般家庭浴室で使用出来る事で、従来は、ホテル、旅館、その他の入浴施設でしか入浴補助浮きボードの使用感覚・使用効果を享受出来なかったのが一般家庭でも享受出来る様になる。通常一般家庭の浴室は独りで使用する独立空間なので入浴者が入浴中に閉眼状態で入浴補助浮きボードを使用したり、癒し効果のある音楽を聞きながら使用したり等、浴室内の環境と使用方法を入浴者の好みに合わせながら入浴するとリラックス効果と癒し効果の相乗効果が期待できる。又本考案は半身浴用の座椅子タイプ、泡マッサージ用の穴あきボード等ボードの種類の変更もボード取付け装置の改良で入浴者の目的、入浴者の体調に適したボードに取替えが簡単に出来る。又本考案の入浴補助浮きボードを使用するとボード下の浴槽内のお湯の大半が必要無くなり、水の節水と水を加熱する為のボイラー等の燃料の使用量の減少効果という温暖化問題対策にも多大な効果がある。
【考案を実施するための最良の形態】
【０００９】  以下、考案を実施形態に係わる入浴補助浮きボードの構成、及び動作に関し、図１、図２、図３、図４、図５、図６、図７、図８を用いて説明する。
図１は本実施形態に係わる浴室内収納型入浴補助浮きボード（以下、「ボード」という）の基本入浴姿勢を説明する入浴姿勢図である。
図２はボードの平面図である。
図３はボードの背面図である。
図４はボードの側断図である。
図５は図４の（Ａ）の拡大詳細図である。
図６はボードの折りたたみ収納前の側面図である。
図７はボードを収納する為平面形状に変形した側面図である。
図８はボードの収納後の側面図である。
なお、各図にわたって同一効果の部位には同一符号を付して説明の重複をさける。【００１０】  図１、図２、図３に示すボードは折りたたみ椅子形状のボードとボードに付帯する（３）、（６）、（９）の付帯装置も含んで構成されている。図１はボード使用の理想の入浴姿勢を表現している又浴室内に収納可能にするにはボード全体を小型化する必要があるが、腰から肩の部分のボードは入浴者の体型に合わせるので小型化は出来ず、ボード部分数減少で小型化を行い、そのボード部分は膝から足先までのボードを減少する事で小型化を実現し浴槽天端から浴室天井までの高さ内（うちのり高さ内）に納めボードを浴室内に収納出来る。【００１１】  請求項２の考案は図２、図４、図５に示すボード固定装置（５）を磁石盤（９）の磁力で接着する事で浴槽本体には改造改修の必要無く取付けと取外しが簡単に出来、ボード全体をボード固定装置（５）に内臓の回転ヒンジを中心軸にボードを垂直図８にする事が可能になり浴室内収納が出来る。【００１２】  請求項３の考案は図２、図４に示すボード接続部（４）のボードとボードを接続するボード接続部であり腰から膝までのボードと腰から肩までのボードの屈折する内角度を９０度から１２０度に角度固定するストッパーと１８０度に固定する角度固定ストッー付きのボード接続部である。ボード接続部（５）は腰から肩までのボードと肩からボード固定装置（６）までのボードを固定する回転ヒンジ内臓のボード接続部でありこのボード接続部を取付ける事でボード各部を平面形状に出来る。【００１３】  請求項４の考案は図６の形状からボード接続部（４）の内角を１８０度固定しボード各部を一直線状図７にすることでボード全体が平面形状に変形しボード先端部をボード固定装置（６）の回転ヒンジの中心軸をボード回転の中心軸として持ち上げ浴室天井方向に９０度回転移動すると浴室壁面に沿ってボードが垂直に直立状態図８になり浴室内に収納可能になる。【００１４】    なお、本ボードは各ボード、浮力材、接続部相当する部分の材料としてステンレス加工材、ポリ塩化ビニール、発泡ウレタンを用いるほか、美観、加工性、耐久性、施工性、およびコスト性に優れた材料、取付け方法があればそれを用いても構わない。
【図面の簡単な説明】
【０００７】
【図１】入浴時の基本姿勢を示した入浴姿勢図である。
【図２】入浴補助浮きボードの平面図である。
【図３】入浴補助浮きボードの背面図である。
【図４】入浴補助浮きボードの側断図である。
【図５】〔図４〕の（Ａ）の拡大詳細図である。
【図６】入浴補助浮きボードの折りたたみ収納前の側面図である。
【図７】入浴補助浮きボードを収納する為平面形状に変形した側面図である
【図８】入浴補助浮きボードの収納後の側面図である。
【符号の説明】
【０００８】  １  ボード本体
２  クッション材（浮力材も兼ねる）
３  枕部クッション材
４  ボード接続部（ストッパー付回転ヒンジ内臓）
５  ボード接続部（回転ヒンジ内蔵）
６  ボード固定装置（回転ヒンジ内臓）
７  マジックテープ（登録商標）
８  浮力材
９  磁石盤（ボード固定装置下面、浴槽天端面）
【手続補正３】
【補正対象書類名】図面
【補正対象項目名】全図
【補正方法】変更
【補正の内容】
【図１】
0003136688.tif 000007
【図２】
0003136688.tif 000008
【図３】
0003136688.tif 000009
【図４】
0003136688.tif 000010
【図５】
0003136688.tif 000011
【図６】
0003136688.tif 000012
【図７】
0003136688.tif 000013
【図８】
0003136688.tif 000014